(57)【特許請求の範囲】
【請求項１】
体温データを体温計から入手するデータ入手部と、
前記データ入手部が入手した前記体温データの数値と前記体温計の体温表示とが互いに異なることが推定できた場合に、前記データ入手部が入手した前記体温データを使用者に確認させることを促す第１表示を行う表示部と、
を備えたベッドサイド端末。
【請求項２】
前記データ入手部は、前記体温データが予測値か実測値かに関する測定状態データを前記体温計からさらに入手し、
前記表示部は、前記体温計において前記予測値が得られた時刻から前記データ入手部が前記測定状態データを入手した時までの経過時間が第１値よりも長く、前記体温データが前記予測値であるときに、前記第１表示を行う、請求項１記載のベッドサイド端末。
【請求項３】
前記表示部は、前記経過時間が前記第１値よりも短いときには、前記第１表示を行わず、
前記表示部は、前記体温データが前記実測値であるときに前記第１表示を行わない、請求項２記載のベッドサイド端末。
【請求項４】
前記表示部が前記第１表示を行った後に、前記予測値を登録する指示を受け取ったときに、前記予測値を登録する、請求項２に記載のベッドサイド端末。
【請求項５】
前記体温計は、
第１時刻から前記第１時刻よりも後の第２時刻までの間に前記予測値を表示し、
前記第２時刻から前記第２時刻よりも後の第３時刻までの間に前記実測値を表示し、
測定終了が前記第３時刻以前の場合は前記予測値を前記データ入手部に出力し、
前記測定終了が前記第３時刻よりも後の場合は前記第３時刻における前記実測値を前記データ入手部に出力する、請求項２〜４のいずれか１つに記載のベッドサイド端末。
【請求項６】
前記第１値は、前記第１時刻から前記第２時刻までの時間よりも長い、請求項５記載のベッドサイド端末。
【請求項７】
前記データ入手部が入手した前記体温データを使用しないという情報を受け取ったときに、前記表示部は、前記使用者に値を入力させることを促す第２表示を行う、請求項１〜６のいずれか１つに記載のベッドサイド端末。
【請求項８】
前記表示部は、入力機能を有し、
前記第１表示は、前記体温データを記録することを示す第１アイコンボタンと、前記体温データを使用しないことを示す第２アイコンボタンと、を含み、
前記使用者が前記第２アイコンボタンを選択したときに、前記使用者により入力された値を受け取る、請求項１〜６のいずれか１つに記載のベッドサイド端末。
【請求項９】
体温についての表示値と、前記体温についての予測値と、を体温計からを入手するデータ入手部と、
前記表示値と前記予測値とが互いに異なるときに、前記データ入手部が入手した前記予測値を使用者に確認させることを促す第１表示を行う表示部と、
を備えたベッドサイド端末。
【請求項１０】
請求項１〜９のいずれか１つに記載のベッドサイド端末と、
前記ベッドサイド端末と接続されたサーバと、
を備えたベッドサイド端末システム。
【発明の詳細な説明】
【技術分野】
【０００１】
本発明の実施形態は、ベッドサイド端末及びベッドサイド端末システムに関する。
【背景技術】
【０００２】
体温計によって測定されたデータなどを収集するベッドサイド端末がある。ベッドサイド端末において、体温計で測定された結果が誤認識し難いことが求められる。
【先行技術文献】
【特許文献】
【０００３】
【特許文献１】特開２０１３−１６９４３８号公報
【発明の概要】
【発明が解決しようとする課題】
【０００４】
本発明の実施形態は、誤認識を抑制できるベッドサイド端末及びベッドサイド端末システムを提供する。
【課題を解決するための手段】
【０００５】
本発明の実施形態によれば、ベッドサイド端末は、データ入手部と、表示部と、を含む。前記データ入手部は、体温データと、を体温計から入手する。前記表示部は、前記データ入手部が入手した前記体温データの数値と前記体温計の体温表示とが互いに異なると推定できた場合に、前記データ入手部が入手した前記体温データを使用者に確認させることを促す第１表示を行う。  
本発明の別の実施形態によれば、ベッドサイド端末は、データ入手部と、表示部と、を含む。前記データ入手部は、体温についての表示値と、前記体温についての予測値と、を体温計からを入手する。前記表示部は、前記表示値と前記予測値とが互いに異なるときに、前記データ入手部が入手した前記予測値を使用者に確認させることを促す第１表示を行う。
【発明の効果】
【０００６】
本発明の実施形態によれば、誤認識を抑制できるベッドサイド端末及びベッドサイド端末システムを提供する。
【図面の簡単な説明】
【０００７】
【図１】第１の実施形態に係るベッドサイド端末及びベッドサイド端末システムを例示する模式図である。
【図２】図２（ａ）〜図２（ｃ）は、第１の実施形態に係る体温の測定を例示する模式図である。
【図３】第１の実施形態に係るベッドサイド端末の動作を例示するフローチャート図である。
【図４】第１の実施形態に係るベッドサイド端末で表示される画像を例示する模式図である。
【図５】第１の実施形態に係るベッドサイド端末で表示される画像を例示する模式図である。
【図６】第１の実施形態に係るベッドサイド端末で表示される画像を例示する模式図である。
【図７】第１の実施形態に係るベッドサイド端末で表示される画像を例示する模式図である。
【図８】第１の実施形態に係るベッドサイド端末で表示される画像を例示する模式図である。
【図９】第１の実施形態に係るベッドサイド端末で表示される画像を例示する模式図である。
【図１０】第１の実施形態に係るベッドサイド端末で表示される画像を例示する模式図である。
【図１１】第２の実施形態に係るベッドサイド端末及びベッドサイド端末システムを例示する模式図である。
【図１２】第２の実施形態に係るベッドサイド端末の動作を例示するフローチャート図である。
【図１３】実施形態に係るベッドサイド端末及びベッドサイド端末の使用状態を例示する模式図である。
【発明を実施するための形態】
【０００８】
以下に、本発明の各実施の形態について図面を参照しつつ説明する。  
本願明細書と各図において、既出の図に関して前述したものと同様の要素には同一の符号を付して詳細な説明は適宜省略する。
（第１の実施形態）  
図１は、第１の実施形態に係るベッドサイド端末及びベッドサイド端末システムを例示する模式図である。  
図１に示すように、第１の実施形態に係るベッドサイド端末１１０は、データ入手部２２及び表示部１０を含む。ベッドサイド端末システム２１０は、例えば、ベッドサイド端末１１０及びサーバ３０を含む。
【０００９】
データ入手部２２は、体温計６０から測定情報６０ｉを入手する。
【００１０】
体温計６０は、例えば、温度検知部６０ｓ及び温度表示部６０ｄを有する。例えば、測定対象（ベッドを使用する対象者）に、温度検知部６０ｓが接触される。温度検知部６０ｓの温度は、測定対象の温度（体温）に応じて変化する。温度検知部６０ｓの温度は、例えば、室温から体温まで変化する。温度表示部６０ｄに、測定された温度が表示される。表示される温度の例については、後述する。
【００１１】
体温計６０からデータ入手部２２に提供される測定情報６０ｉは、例えば、体温データ６１及び測定状態データ６２を含む。測定情報６０ｉは、測定に関する時刻データ６３をさらに含んでも良い。時刻データ６３は、後述する第１時刻ｔ１または第３時刻ｔ３を含む。
【００１２】
体温データ６１は、体温計６０から出力される出力値Ｔｏである。後述するように、体温データ６１は、予測値または実測値である。出力値Ｔｏは、体温（℃）の値そのものではなく、例えば、体温の値と、所定の値（例えば１００）と、の積などでも良い。
【００１３】
体温計６０により体温を測定する際に、体温計６０の温度検知部６０ｓの温度が室温から体温になるまでに時間を要する。このため、体温計６０においては、例えば、検出された温度の変化に基づいて、変化が終了した後の安定温度が推定される。推定された温度が、予測値に対応する。一方、実際に測定された温度が、実測値である。測定時間が十分に長いときの実測値は、例えば、安定温度である。予測値及び実測値の例については、後述する。
【００１４】
測定状態データ６２は、体温データ６１が予測値か実測値かに関する情報を含む。測定状態データ６２は、例えば、体温計６０から出力されるフラグＦ１である。例えば、フラグＦ１が「１」であることは、体温データ６１が予測値であることを示す。例えば、フラグＦ１が「０」であることは、体温データ６１が実測値であることを示す。「１」と「０」は入れ替えても良い。
【００１５】
時刻データ６３は、例えば、時間に関する値を含む。時刻データ６３は、例えば、年、月、日、時、分及び秒などを含む。時刻データ６３は、例えば、時間に関するこれらの値に対応する「コード」でも良い。
【００１６】
データ入手部２２は、例えば、無線方式などにより体温計６０と接続される。無線方式は、例えば、近距離無線通信（ＮＦＣ：Near Field Communicationなど）を含む。例えば、測定情報６０ｉは、無線方式などにより、データ入手部２２に送信される。例えば、体温計６０に出力ポート及び出力部が設けられ、出力ポート及び出力部を介して、体温計６０から測定情報６０ｉがデータ入手部２２に提供される。データ入手部２２の時刻と、体温計６０の時刻とは、例えば、ＮＦＣなどによる通信などにおいて同期されても良い。
【００１７】
データ入手部２２は、例えば、ベッドサイド端末１１０の使用者（操作者）に関する情報を入手しても良い。使用者は、例えば、看護師（看護する人）である。例えば、使用者は、認証カード７０などを有している。データ入手部２２は、認証カード７０などと接続可能である。この接続も例えば無線方式により行われる。例えば、使用者がベッドサイド端末１１０を操作するときに、認証カード７０をデータ入手部２２に近づける。これにより、データ入手部２２は、使用者がベッドサイド端末１１０を操作するときに、認証カード７０の情報を入手する。このような認証により、ベッドサイド端末１１０が適正に使用される。
【００１８】
データ入手部２２は、例えば、接続装置２０に含まれても良い。接続装置２０は、入出力ポート（図示しない）を含んでいる。入出力ポートを介して、データ入手部２２は、サーバ３０と接続され、データの送受信が行われる。データ入手部２２は、例えば、入出力ポートを介して、表示部１０と接続される。
【００１９】
接続装置２０は、入力部２４をさらに含んでも良い。入力部２４は、例えば、マウスを含む。入力部２４は、例えば、キーボードを含む。後述するように、ベッドサイド端末１１０の使用者が入力部２４を使用することで、コマンドまたは値などが入力できる。
【００２０】
後述するように、表示部１０が入力機能を有しても良い。この場合、入力部２４を省略しても良い。
【００２１】
以下、体温計６０で測定される体温の例について説明する。  
図２（ａ）〜図２（ｃ）は、第１の実施形態に係る体温の測定を例示する模式図である。  
これらの図の横軸は、時間ｔである。図２（ａ）の縦軸は、体温計６０で測定される実測値Ｔｍである。実測値Ｔｍは、例えば、体温計６０の温度検知部６０ｓの温度に対応する。図２（ｂ）の縦軸は、体温計６０の温度表示部６０ｄに表示される表示温度（表示値Ｔｄ）である。図２（ｃ）の縦軸は、体温計６０から出力される出力値Ｔｏ（温度に関する値）である。
【００２２】
図２（ａ）に示すように、測定の開始時刻ｔ０から、時間ｔの経過に従って、実測値Ｔｍは、変化する。この例では、実測値Ｔｍは、初期温度Ｔ０（例えば室温）から、安定温度Ｔｓまで変化する。安定温度Ｔｓは、十分に時間ｔが経過した後の測定値である。安定温度Ｔｓは、例えば、測定されるべき体温（測定対象の体温の真値）と推定される温度である。
【００２３】
図２（ｂ）に示すように、表示値Ｔｄは、必ずしも、実測値Ｔｍと一致しない。例えば、測定の初期の期間（例えば、開始時刻ｔ０から予測時刻ｔｐまでの期間）において、安定温度Ｔｓが予測される。この予測は、例えば、開始時刻ｔ０から予測時刻ｔｐまでの期間における温度検知部６０ｓの温度変化の程度に基づいて行われる。例えば、第１時刻ｔ１において、予測値Ｔｐの導出が終了し、予測された予測値Ｔｐが温度表示部６０ｄに表示される。
【００２４】
例えば、体温計６０は、第１時刻ｔ１において、温度の予測測定が終了したことを示す音などを発生しても良い。開始時刻ｔ０から第１時刻ｔ１までの期間は、温度表示部６０ｄには、温度が表示されなくても良い。例えば、測定中であることを示す表示が行われても良い。開始時刻ｔ０から第１時刻ｔ１までの時間は、例えば、３０秒などである。実施形態において、この時間は、この値に限らない。
【００２５】
例えば、第１時刻ｔ１の後に、体温計６０を測定対象から離して、体温測定を終了しても良い。この場合は、測定された体温は、予測値Ｔｐとなる。予測値Ｔｐを算出するのは、測定時間を短縮するためである。
【００２６】
一方、例えば、時間ｔが第１時刻ｔ１を過ぎた後も、体温計６０を測定対象に接触させ続けても良い。この状態で、時間ｔは、第１時刻ｔ１の後の第２時刻ｔ２となる。第２時刻ｔ２において、第１時刻ｔ１のときよりも、実測値Ｔｍは予測値Ｔｐに近づく。
【００２７】
体温計６０の１つの例において、第２時刻ｔ２において、温度表示部６０ｄに表示される値（表示値Ｔｄ）は、実測値Ｔｍとなる。すなわち、第１時刻ｔ１から第２時刻ｔ２までの期間においては、表示値Ｔｄは、予測値Ｔｐと同じである。一方、第２時刻ｔ２以降は、表示値Ｔｄは、実測値Ｔｍとなる。開始時刻ｔ０から第２時刻ｔ２までの時間は、例えば、３００秒などである。実施形態において、この時間は、この値に限らない。
【００２８】
さらに、時間ｔが経過して、第３時刻ｔ３となると、実測値Ｔｍは、時間に対して実質的に変化しない。第３時刻ｔ３において、実測値Ｔｍは、安定温度Ｔｓとなる。開始時刻ｔ０から第３時刻ｔ３までの時間は、例えば、６００秒などである。実施形態において、この時間は、この値に限らない。
【００２９】
このような例においては、第２時刻ｔ２から第３時刻ｔ３までの期間においては、表示値Ｔｄと予測値Ｔｐとの差が大きい。特に、第２時刻ｔ２の直後においては、表示値Ｔｄと予測値Ｔｐとの差が大きい。
【００３０】
図２（ｃ）に示すように、第１時刻ｔ１以降に測定が終了し、体温計６０とデータ入手部２２との間のデータ通信が行われる。この通信は、例えば、ベッドサイド端末１１０の使用者が体温計６０をデータ入手部２２に近づけることで行われる。この通信により、体温計６０から、データ入手部２２に測定情報６０ｉ（体温データ６１、測定状態データ６２及び時刻データ６３など）が供給される。このとき、時刻データ６３として、第１時刻ｔ１が、体温計６０からデータ入手部２２に供給される。
【００３１】
例えば、第１時刻ｔ１から第３時刻ｔ３までの間に通信が行われる場合は、供給される体温データ６１は、予測値Ｔｐである。そして、このときに提供される測定状態データ６２のフラグＦ１は、”１”（すなわち、予測値）である。
【００３２】
一方、例えば、第３時刻ｔ３以降に通信が行われる場合は、供給される体温データ６１は、実測値Ｔｍ（安定温度Ｔｓ）である。そして、このときに提供される測定状態データ６２のフラグＦ１は、”０”（すなわち、実測値）である。このとき、時刻データ６３として、第３時刻ｔ３が、体温計６０からデータ入手部２２に供給される。
【００３３】
上記のような測定が行われ、測定データの供給が行われる。このような例において、改善の余地があることが分かった。以下、上記のような例において発生し得る状況の例について、説明する。
【００３４】
図２（ｂ）に関して説明したように、第２時刻ｔ２において、体温計６０の温度表示部６０ｄには、実測値Ｔｍが表示される。第２時刻ｔ２から第３時刻ｔ３までの期間においては、実測値Ｔｍは、予測値Ｔｐとは異なる。例えば、第２時刻ｔ２から第３時刻ｔ３までの期間において、ベッドサイド端末１１０の使用者が体温計６０をデータ入手部２２に近づけて、測定データを入力する。このときに入力された値は、予測値Ｔｐ（例えば３７．２℃）である。一方、このときに体温計６０の温度表示部６０ｄに表示されている温度は、その時の実測値Ｔｍ（例えば３６．８℃）である。すなわち、入力された値（予測値Ｔｐ）は、温度表示部６０ｄに表示されている温度（実測値Ｔｍ）とは異なる。このため、使用者は、体温計６０が故障した、または、ベッドサイド端末１１０が故障した、と思い込む。しかし、実際には故障は生じていない。例えば、使用者が混乱する。例えば、体温測定の結果が、誤認識される。このため、ベッドサイド端末１１０が、適正に使用されない場合が生じる。
【００３５】
このような状況は、例えば、体温計６０の温度表示部６０ｄにおいて、予測値Ｔｐの表示から実測値Ｔｍの表示に切り替えが行われることに起因する。しかしながら、測定時間の短縮は、実用上重要である。そして、表示される値を実測値Ｔｍに切り替えることも、正確な測定結果を示す観点では、実用上重要である。一方、上記のような状況（体温計６０に表示される値が予測値Ｔｐと異なる場合があること）を全ての使用者に事前に知らせ、故障だと思わせないように教育する方法が考えられる。しかしながら、このことは、ベッドサイド端末１１０の利用を広げることを困難にする。
【００３６】
このような状況があることを発明者は見出した。新たに見出された課題を、実施形態は解決する。
【００３７】
実施形態に係るベッドサイド端末１１０においては、データ入手部２０が入手した体温データ６１の数値と、体温計６０の体温表示とが互いに異なると推定できた場合に、表示部１０は、特定の表示（第１表示）を行う。例えば、特定の条件のときに、表示部１０は、特定の表示（第１表示）を行う。この特定の条件は、例えば、体温計６０において予測値Ｔｐが得られた時刻（第１時刻ｔ１）からデータ入手部２２が測定情報６０ｉを入手した時までの経過時間が所定の時間（基準値、第１値）よりも長く、体温データ６１が予測値Ｔｐであるという条件である。
【００３８】
上記の第１表示は、例えば、データ入手部２２が入手した体温データ６１を確認することを使用者に促す。この確認は、例えば、入手した体温データ６１を登録（記録）してよいかどうかを使用者に判断させることを促しても良い。第１表示の例は、後述する。
【００３９】
例えば、上記の条件を満たさない場合は、上記の第１表示を行わないで、体温データ６１を登録するための処理が行われる。例えば、表示部１０は、上記の経過時間が上記第１値よりも短いときには、上記の第１表示を行わない。このとき、体温データ６１を登録するための処理が行われる。例えば、表示部１０は、体温データ６１が実測値Ｔｍであるときにも、上記の第１表示を行わない。このときも体温データ６１を登録するための処理が行われる。
【００４０】
上記の所定の時間（第１値）は、例えば、体温計６０において予測値Ｔｐが得られた時刻（第１時刻ｔ１）から経過した時間が上記の第２時刻ｔ２の近傍の時刻に対応するように定められる。例えば、データ入手部２２が測定情報６０ｉを入手した時が第２時刻ｔ２よりも前の場合、上記の条件を満たさない。この場合も、上記の第１表示を行わないで、体温データ６１を登録するための処理が行われる。
【００４１】
データ入手部２２が測定情報６０ｉを入手した時刻が第２時刻ｔ２から第３時刻ｔ３の間の場合に、上記の第１表示が行われる。すでに説明したように、第２時刻ｔ２から第３時刻ｔ３までの期間においては、体温計６０の温度表示部６０ｄに表示される値は、予測値Ｔｐとは必ずしも一致しない。このようなときに、上記の第１表示を行い、例えば、データ入手部２２が入手した体温データ６１を確認することを使用者に促す。これにより、体温計６０の温度表示部６０ｄに表示される値が予測値Ｔｐと異なる場合においても、使用者の違和感が抑制できる。例えば、故障と思い込むことが抑制される。例えば、体温測定の結果が誤認識されることが抑制される。ベッドサイド端末１１０は、より適正に使用できる。
【００４２】
実施形態においては、上記の条件を満たす場合に、上記の第１表示が行われ、上記の条件を満たさない場合は、上記の第１表示が行われない。すなわち、体温計６０から供給される体温データ６１が体温計６０の温度表示部６０ｄの表示値と同じ場合には、上記の第１表示が行われない。このため、使用者に不要な第１表示を提示することがなく、使用者の煩雑さが抑制される。実施形態によれば、誤認識を抑制できるベッドサイド端末及びベッドサイド端末システムが提供できる。
【００４３】
実施形態に係るベッドサイド端末１１０及びベッドサイド端末システム２１０では、上記のような体温計６０が用いられる。この体温計６０は、第１時刻ｔ１から第１時刻ｔ１よりも後の第２時刻ｔ２までの間に予測値Ｔｐを表示する。体温計６０は、第２時刻ｔ２から第２時刻ｔ２よりも後の第３時刻ｔ３までの間に実測値Ｔｍを表示する。体温計６０は、測定終了が第３時刻ｔ３以前（第１時刻ｔ１から第３時刻ｔ３まで）の場合は、予測値Ｔｐをデータ入手部２２に出力する。体温計６０は、測定終了が第３時刻ｔ３よりも後の場合は、第３時刻ｔ３における実測値Ｔｍをデータ入手部２２に出力する。測定終了は、例えば、温度検知部６０ｓでの検知温度の変化などに基づいて判断される。
【００４４】
温度表示部６０ｄに表示される値が予測値Ｔｐから実測値Ｔｍに切り替わるこのような体温計６０と、実施形態に係るベッドサイド端末１１０及びベッドサイド端末システム２１０が組み合わされる。
【００４５】
以下、実施形態に係るベッドサイド端末１１０における動作の例について説明する。以下の例では、表示部１０は、表示機能に加えて、入力機能を有する場合について説明する。表示部１０は、例えば、タッチパネルであり、表示部１０の表示面をタッチすることにより、情報の入力が可能である。
【００４６】
図３は、第１の実施形態に係るベッドサイド端末の動作を例示するフローチャート図である。図４〜図１０は、第１の実施形態に係るベッドサイド端末で表示される画像を例示する模式図である。
【００４７】
図４は、表示部１０に表示される画像の１つの例である。図４は、体温計６０などの各種の測定機器から測定データを入力する際に用いられる入力ホーム画面の画像の例である。例えば、脈拍、血値Ｈ（最高血圧）、血糖値、呼吸、血圧Ｌ（最低血圧）、体重、体温、及び、ＳｐＯ２（パルスオキシメーター）の値が、入力される。例えば、これらの測定値のそれぞれに対応する表示領域が設けられている。体温について、体温表示領域１１が設けられている。
【００４８】
この例では、体温表示領域１１には、前回測定値１１ｐが測定時刻と共に表示されている。そして、体温表示領域１１に、今回入力される値のための表示領域１１ｄが設けられている。この例では、「登録」のための登録ボタン１８（表示画像上の領域）が設けられている。例えば、後述するように、体温表示領域１１の表示領域１１ｄに表示される測定値を登録する場合に、使用者が登録ボタン１８をタッチする。これにより、その測定値が、登録される。この登録は、例えば、ベッドサイド端末１１０の記憶装置へのデータの保存を含む。この登録は、ベッドサイド端末１１０と接続可能な各種の装置（例えばサーバ３０など）へのデータの送信を含んでも良い。
【００４９】
入力ホーム画面は、例えば、使用者が認証カード７０をデータ入手部２２に近づけて、認証カード７０に含まれる情報を読み取らせることにより表示されても良い。
【００５０】
一方、体温計６０による体温の測定が行われる。そして、測定が終了し、体温計６０から測定されたデータがデータ入手部２２に入力される。
【００５１】
すなわち、図３に示すように、データ入手部２２は、測定情報６０ｉ（体温データ６１及び測定状態データ６２）を入手する（ステップＳ１１０）。データ入手部２２は、測定情報６０ｉとして、時刻データ６３（第１時刻ｔ１など）を入手しても良い。この処理は、例えば、使用者が体温計６０をデータ入手部２２に近づけることにより行われる。
【００５２】
ベッドサイド端末１１０において、入力された測定情報６０ｉについて、以下の２つの判断が行われる。例えば、第１判断では、体温データ６１が予測値Ｔｐであるかどうかが判断される（ステップＳ１２１）。この判断は、例えば、測定状態データ６２（フラグＦ１）が、”１”であるか、または”０”であるかにより行われる。
【００５３】
第２判断では、体温計６０において予測値Ｔｐが得られた時刻（第１時刻ｔ１)からデータ入手部２２が測定情報６０ｉを入手した時までの経過時間が第１値よりも長いかどうかが判断される（ステップＳ１２２）。
【００５４】
第１値（所定の時間、基準値）は、例えば、第１時刻ｔ１から第２時刻ｔ２までの時間、または、その時間に近い時間である。図２（ｂ）を用いて説明した例において、第１時刻ｔ１から第２時刻ｔ２までの時間が２７０ｓである場合、第１値は、例えば、約２７０ｓ秒である。体温計６０の動作に誤差がある場合を考慮すると、第１値は、例えば、第１時刻ｔ１から第２時刻ｔ２までの時間の０．８倍以上としても良い。体温計６０の動作に誤差がある場合においても、使用者の違和感が抑制でき、使用者の煩雑さも抑制できる。
【００５５】
例えば、第１値は、第１時刻ｔ１から第２時刻ｔ２までの時間よりも長い。図２（ｂ）を用いて説明した例において、開始時刻ｔ０から第１時刻ｔ１までの時間が３０ｓであり、開始時刻ｔ０から第２時刻ｔ２までの時間が３００ｓである場合は、第１値は、例えば、２７０秒よりも長い。体温計６０の動作に誤差がある場合においても、使用者の違和感が抑制でき、使用者の煩雑さも抑制できる。
【００５６】
体温測定において、複数の体温計６０が用いられる場合がある。複数の体温計６０において、第１時刻ｔ１及び第２時刻ｔ２などのばらつきがある場合がある。このようなばらつきを考慮して、第１値が設定されても良い。
【００５７】
第１判断及び第２判断の順序は、任意である。
【００５８】
図３に示すように、第１判断（ステップＳ１２１）において、体温データ６１が予測値Ｔｐではない場合（すなわち、実測値Ｔｍの場合）には、後述するステップＳ１６０に進む。一方、第２判断（ステップＳ１２２）において、経過時間が第１値以下の場合も、ステップＳ１６０に進む。このように、体温計６０の温度表示部６０ｄに表示される値が、データ入手部２２が入手した体温データ６１と同じと推定されるときには、ステップＳ１６０に進む。
【００５９】
図５は、ステップＳ１６０に対応する状態における表示部１０の表示の例を示している。この例では、データ入手部２２が入手した体温データ６１は、「３７．２℃」である。体温計６０の温度表示部６０ｄに表示される値が、データ入手部２２が入手した体温データ６１と同じときには、データ入手部２２が入手した体温データ６１（３７．２℃）が、表示部１０の表示領域１１ｄに表示される。そして、このときに、使用者が、登録ボタン１８をタッチすることで、その測定値（３７．２℃）が、登録される。例えば、保存及び送信の少なくともいずれかが行われる。
【００６０】
一方、図３に示すように、第１条件及び第２条件が満たされる場合には、表示部１０は、以下に説明する第１表示を行う（ステップＳ１３０）。すなわち、体温計６０の温度表示部６０ｄに表示される値（表示値Ｔｄ）が、データ入手部２２が入手した体温データ６１とは異なると推定できた場合に、第１表示が行われる。第１表示は、データ入手部２２が入手した体温データ６１を使用者に確認させることを促す。以下、第１表示の例について説明する。
【００６１】
図６は、第１表示の１つの例を示している。図６において、表示部１０の表示面に第１表示Ｄ１が表示されている。この例では、第１表示Ｄ１において、データ入手部２２が入手した体温データ６１（３７．２℃）が表示されている。そして、この体温データ６１が、予測値Ｔｐであることを示す表示６１ｐも行われている。さらに、第１アイコンボタンＢ１及び第２アイコンボタンＢ２が表示されている。これらのアイコンボタンは、表示部１０のタッチ入力領域である。第１アイコンボタンＢ１は、この体温データ６１を登録（記録）することを示す。第２アイコンボタンは、体温データ６１を登録（記録）しないことを示す。例えば、第２アイコンボタンＢ２は、登録（記録）する体温データを変更することに対応する。第１表示Ｄ１において、例えば、「測定から７分経過していますが登録していいですか？」などのダイアログなどが表示されても良い。第１表示Ｄ１の内容は、種々の変形が可能である。
【００６２】
図７は、第１表示Ｄ１の別の例を示している。図７においては、図４に例示した入力ホーム画面の上に重畳して、第１表示Ｄ１が表示されている。実施形態において、第１表示Ｄ１の表示の構成は、任意である。
【００６３】
例えば、上記の２つのアイコンボタンによる入力結果が、判断される。すなわち、図３に示すように、データ入手部２２が入手した体温データ６１を、その表示値を修正することなく、使用するかどうかが、判断される（ステップＳ１４０）。例えば、使用者が、第１アイコンボタンＢ１をタッチすると、データ入手部２２が入手した体温データ６１をそのまま使用すると、判断される。この場合には、ステップＳ１６０に進む。この場合は、例えば、図５に例示した画像が表示される。そして、この画像において、使用者が登録ボタン１８をタッチすることで、その測定値（３７．２℃）が、登録される。例えば、保存及び送信の少なくともいずれかが行われる。
【００６４】
このように、第１表示Ｄ１により、データ入手部２２が入手した体温データ６１が予測値Ｔｐであることが分かる。そして、このときに、体温計６０の温度表示部６０ｄに表示されている値が、体温データ６１と異なっている状態においても、体温データ６１を使用するかどうかを判断できる。これにより、例えば、体温計６０の温度表示部６０ｄに表示されている値が体温データ６１と異なっている状態についての違和感が、軽減できる。
【００６５】
一方、ステップＳ１４０において、例えば、使用者が、第２アイコンボタンＢ２をタッチすると、データ入手部２２が入手した体温データ６１を使用しない、と判断される。この場合は、以下のステップＳ１５０に進む。
【００６６】
すなわち、データ入手部２２が入手した体温データ６１をそのまま使用しないという情報を受け取ったときには、表示部１０は、使用者に値を入力させることを促す第２表示を行う（ステップＳ１５０）。
【００６７】
図８は、第２表示を例示している。  
図８の例において、例えば、データ入手部２２が入手した体温データ６１（３７．２℃）は、表示部１０の表示領域１１ｄに表示されない。例えば、体温データ６１が表示される領域及びその周りの領域の少なくともいずれかが、例えば点滅しても良い。このような表示状態により、表示されている文字情報が、変更中であることが容易に分かる。このような表示が、第２表示Ｄ２の少なくとも一部に対応する。
【００６８】
体温データ６１が表示される場合があっても良い。この場合、体温データ６１を示す文字、及び、背景において、表示が反転表示されても良い。反転表示された文字及び背景において、通常の表示に対して、明暗が逆転する。体温データ６１を示す文字の色が、通常とは異なる色で表示されても良い。
【００６９】
さらに、図８の例では、上昇アイコンボタン１１ａ及び下降アイコンボタン１１ｂが表示されている。この例では、これらのアイコンボタンは、表示領域１１ｄの横に表示されている。この例では、上昇アイコンボタン１１ａは、上部に頂点を有する図形である。一方、下降アイコンボタン１１ｂは、下部に頂点を有する図形である。例えば、使用者が、上昇アイコンボタン１１ａをタッチすると、表示領域１１ｄに表示された数字が上昇する。一方、使用者が、下降アイコンボタン１１ｂをタッチすると、表示領域１１ｄに表示された数字が上昇する。値を変更するこのようなアイコンボタンが、第２表示Ｄ２に含まれても良い。
【００７０】
例えば、このような方法により、使用者は、体温計６０の温度表示部６０ｄに表示されている温度（例えば３６．８℃）に、値を変更（入力）しても良い。このようなアイコンボタンを用いることで、入力を容易化できる。例えば、「テンキーボタン」が表示され、その「テンキーボタン」による入力が可能でも良い。使用者は、入力部２４を用いて値を変更（入力）しても良い。
【００７１】
図３に示すように、例えば、このような手法などにより入力（変更）された値を、ベッドサイド端末１１０は受け取る（ステップＳ１５１）。受け取りは、例えば、表示部１０及び入力部２４の少なくともいずれかにより行われる。この後、ステップＳ１６０に進む。ステップＳ１５０及びステップＳ１５１を介してステップＳ１６０に進んだ場合は、表示領域１１ｄに表示される値は、変更（入力）された値である。
【００７２】
図９は、値が変更された後の表示領域１１ｄの状態を例示している。この例では、表示領域１１ｄに表示された値は、「３７．２℃」から「３６．８℃」に変更されている。使用者が、登録ボタン１８をタッチすることで、その測定値（３６．８℃）が、登録される。例えば、保存及び送信の少なくともいずれかが行われる。
【００７３】
このように、図３に示すステップＳ１６０においては、体温データ６１が登録（記録）される。
【００７４】
さらに、登録（記録）されたことを示す第３表示を行っても良い（図３に示すステップＳ１７０）。
【００７５】
図１０は、第３表示を例示している。  
図１０に示すように、第３表示Ｄ３においては、値が登録されたことを示す表示が表示される。この例では、第３表示Ｄ３は、「閉じる」を示すアイコンボタンＣ１を含む。例えば、使用者が、アイコンボタンＣ１をタッチすると、図４に例示した入力ホーム画面に戻る。この場合、図４における表示領域１１ｄには、データ入手部２２が入手した値（上記の例では「３７．２℃」）、または、変更された値（上記の例では「３６．８℃」）が表示される。
【００７６】
図３に例示したステップＳ１２１、Ｓ１２２、Ｓ１４０、Ｓ１５１及びＳ１５０の少なくとも一部は、データ入手部２２で行われても良い。ステップＳ１２１、Ｓ１２２、Ｓ１４０、Ｓ１５１及びＳ１５０の少なくとも一部は、データ入手部２２が設けられる接続装置２０で行われても良い。ステップＳ１２１、Ｓ１２２、Ｓ１４０、Ｓ１５１及びＳ１５０の少なくとも一部は、表示部１０で行われても良い。ステップＳ１２１、Ｓ１２２、Ｓ１４０、Ｓ１５１及びＳ１５０の少なくとも一部は、データ入手部２２及び表示部１０が接続される任意の装置（例えばサーバ３０など）で行われても良い。
【００７７】
（第２の実施形態）
図１１は、第２の実施形態に係るベッドサイド端末及びベッドサイド端末システムを例示する模式図である。  
図１１に示すように、第２の実施形態に係るベッドサイド端末１１１は、データ入手部２２と、表示部１０と、を含む。ベッドサイド端末システム２１１は、例えば、ベッドサイド端末１１１及びサーバ３０を含む。第２の実施形態においては、測定情報６０ｉは、第１体温データ６４と第２体温データ６５を含む。第１体温データ６４は、表示値Ｔｄ（この例では３６．８℃）である。第２体温データ６５は、予測値Ｔｐ（この例では３７．２℃）である。
【００７８】
このように、第２の実施形態では、体温計６０から、体温に関する表示値Ｔｄと、体温に関する予測値Ｔｐと、がデータ入手部２２に供給される。以下、このような体温計６０を用いたときの処理の例について説明する。
【００７９】
図１２は、第２の実施形態に係るベッドサイド端末の動作を例示するフローチャート図である。  
データ入手部２２は、体温計６０から、体温に関する表示値Ｔｄと、体温に関する予測値Ｔｐと、を入手する（ステップＳ１１１）。
【００８０】
表示値Ｔｄと予測値Ｔｐとが互いに異なるかどうかが判断される（ステップＳ１２３）。表示値Ｔｄと予測値Ｔｐとが互いに異なるときに、表示部１０は、データ入手部２２が入手した予測値Ｔｐを使用者に確認させることを促す第１表示を行う（ステップＳ１３０）。表示値Ｔｄと予測値Ｔｐとが互いに同じときには、体温データ（予測値Ｔｐ）を登録する（ステップＳ１６０）。さらに第３表示Ｄ３を行うステップＳ１７０を実施しても良い（ステップＳ１７０）。
【００８１】
上記の第１表示を行った後に、図３に関して説明したステップＳ１４０、Ｓ１５０及びＳ１５１を実施しても良い。
【００８２】
このように、本実施形態においては、表示部１０は、表示値Ｔｄと予測値Ｔｐとが互いに異なるときに、上記の第１表示を行う。これにより、誤認識を抑制できるベッドサイド端末及びベッドサイド端末システムが提供できる。
【００８３】
図１３は、実施形態に係るベッドサイド端末及びベッドサイド端末の使用状態を例示する模式図である。  
図１３に示すように、ベッドサイド端末１１０は、例えば、ベッド３８の近くに設置される。ベッドサイド端末１１０は、例えば、サーバ３０の他に、電子カルテサーバ３５、端末装置３６（コンピュータ）、及び、携帯端末装置３７（コンピュータ）の少なくともいずれかと接続されても良い。
【００８４】
この例では、接続装置２０に報知部２３が設けられている。例えば、エラーが発生した場合に、報知部２３は、報知することが可能である。接続装置２０における接続は、例えば、ＬＡＮ（有線または無線）を介した接続が適用される。
【００８５】
実施形態によれば、誤認識を抑制できるベッドサイド端末及びベッドサイド端末システムが提供できる。
【００８６】
以上、具体例を参照しつつ、本発明の実施の形態について説明した。しかし、本発明は、これらの具体例に限定されるものではない。例えば、ベッドサイド端末に含まれる表示部、データ入手部、及び入力部、並びに、ベッドサイド端末システムに含まれるサーバなどの各要素の具体的な構成に関しては、当業者が公知の範囲から適宜選択することにより本発明を同様に実施し、同様の効果を得ることができる限り、本発明の範囲に包含される。
【００８７】
また、各具体例のいずれか２つ以上の要素を技術的に可能な範囲で組み合わせたものも、本発明の要旨を包含する限り本発明の範囲に含まれる。
【００８８】
その他、本発明の実施の形態として上述したベッドサイド端末及びベッドサイド端末システムを基にして、当業者が適宜設計変更して実施し得る全てのベッドサイド端末及びベッドサイド端末システムも、本発明の要旨を包含する限り、本発明の範囲に属する。
【００８９】
その他、本発明の思想の範疇において、当業者であれば、各種の変更例及び修正例に想到し得るものであり、それら変更例及び修正例についても本発明の範囲に属するものと了解される。
【符号の説明】
【００９０】
１０…表示部、  １１…体温表示領域、  １１ａ…上昇アイコンボタン、  １１ｂ…下降アイコンボタン、  １１ｄ…表示領域、  １１ｐ…前回測定値、  １８…登録ボタン、  ２０…接続装置、  ２２…データ入手部、  ２３…報知部、  ２４…入力部、  ３０…サーバ、  ３５…電子カルテサーバ、  ３６…端末装置、  ３７…携帯端末装置、  ３８…ベッド、  ６０…体温計、  ６０ｄ…温度表示部、  ６０ｉ…測定情報、  ６０ｓ…温度検知部、  ６１…体温データ、  ６１ｐ…表示、  ６２…測定状態データ、  ６３…時刻データ、  ７０…認証カード、  １１０…ベッドサイド端末、  ２１０…ベッドサイド端末システム、  Ｂ１、Ｂ２…第１、第２アイコンボタン、  Ｃ１…アイコンボタン、  Ｄ１〜Ｄ３…第１〜第３表示、  Ｆ１…フラグ、  Ｔ０…初期温度、  Ｔｄ…表示値、  Ｔｍ…実測値、  Ｔｏ…出力値、  Ｔｐ…予測値、  Ｔｓ…安定温度、  ｔ…時間、  ｔ０…開始時刻、  ｔ１〜ｔ３…第１〜第３時刻、  ｔｐ…予測時刻
【図１】
0006671252.tif 000002
【図２】
0006671252.tif 000003
【図３】
0006671252.tif 000004
【図４】
0006671252.tif 000005
【図５】
0006671252.tif 000006
【図６】
0006671252.tif 000007
【図７】
0006671252.tif 000008
【図８】
0006671252.tif 000009
【図９】
0006671252.tif 000010
【図１０】
0006671252.tif 000011
【図１１】
0006671252.tif 000012
【図１２】
0006671252.tif 000013
【図１３】
0006671252.tif 000014